【手続補正書】
【提出日】平成19年4月20日(2007.4.20)
【手続補正１】
【補正対象書類名】明細書
【補正対象項目名】特許請求の範囲
【補正方法】変更
【補正の内容】
【特許請求の範囲】
【請求項１】  使用意思のないユーザによる使用を阻止するライターであって、
燃料区画室を備えたライター本体と、
前記燃料区画室から燃料を供給する弁と、
前記ライター本体に対して移動可能に取り付けられたアクチュエータと、
前記燃料の点火を行う点火機構と、を有し、該点火機構は、前記アクチュエータの移動により、点火機構が前記燃料の点火を行うように前記アクチュエータに取り付けられており、
前記アクチュエータに回動自在にかつ曲がらないように結合されたラッチ部材を更に有し、該ラッチ部材が非作動位置にあるとき、前記ラッチ部材の一部が、前記ライター本体の一部と整列して前記作動軸線に沿う前記アクチュエータの移動が制限され、前記ラッチ部材を作動位置に回動させると、前記ラッチ部材の前記一部が前記ライター本体の前記一部と非整列状態になり、それにより前記アクチュエータを前記第１の位置から前記作動位置に移動させて前記点火機構を作動させ、前記燃料を点火できることを特徴とするライター。
【請求項２】  前記アクチュエータは、頂面と、これから間隔をおいた下面と、前記頂面と前記下面との間に延びる少なくとも１つの側壁とを有し、前記頂面は、下表面部分及び直立の段部材により分離されていて、下表面部分よりも高い位置にある上表面部分を有し、前記段部材は、前記ラッチ部材の過剰回動を阻止することを特徴とする請求項１記載のライター。
【請求項３】  前記ラッチ部材は、前記アクチュエータの前記上表面部分の上に位置する指作動部分と、該指作動部分の一方の側から下方に延びるリム部材と、前記指作動部分の他方の側から下方に延びる本体部分とを更に有し、前記段部材と前記リム部材の協働により前記ラッチ部材の過剰回動が阻止されることを特徴とする請求項２記載のライター。
【請求項４】  前記アクチュエータは、前記側壁の後部から延びる張出し部を更に有し、該張出し部は、第１のカム面を有していることを特徴とする請求項３記載のライター。
【請求項５】  前記ラッチ部材は、前記ラッチ部材の前記本体部分の前面から延びるピボット部材を更に有し、該ピボット部材は、前記第１のカム面と回動自在に結合する第２のカム面を有していることを特徴とする請求項４記載のライター。
【請求項６】  ラッチ部材の本体部分と前記アクチュエータとの間に設けられていて、前記ラッチ部材を前記非作動位置に付勢する付勢要素を更に有していることを特徴とする請求項４記載のライター。
【請求項７】  前記付勢要素は、前記ラッチ部材と一体形成されたバネであることを特徴とする請求項６記載のライター。
【請求項８】  前記付勢要素は、前記ラッチ部材から間隔をおいて位置したコイルバネであることを特徴とする請求項６記載のライター。
【請求項９】  前記付勢要素は、前記ラッチ部材に結合された金属製板バネであることを特徴とする請求項６記載のライター。
【請求項１０】  前記アクチュエータは、前記側壁の後部から延びる２つの互いに間隔をおいた張出し部を更に有し、前記張出し部の間にはスロットが形成され、更に、各張出し部を貫通して横方向に延びるボアが形成され、前記ラッチ部材は、前記ラッチ部材の前記本体部分の前面から延びるピボット部材を更に有し、該ピボット部材にはこれを貫通して横方向に延びるボアが形成されていて、前記ラッチ部材を前記アクチュエータに回動自在に結合するためにピンを前記張出し部及び前記ピボット部材の前記ボアに挿通できるようになっていることを特徴とする請求項３記載のライター。
【請求項１１】  前記アクチュエータは、該アクチュエータの後側の側壁から延びる突出部材を更に有し、前記ラッチ部材は、前記突出部材を受け入れる溝を有し、それによりラッチ部材の側方移動が制限されることを特徴とする請求項１記載のライター。
【請求項１２】  前記ラッチ部材は、指作動部分と、該指作動部分から延びる本体部分とを更に有し、前記指作動部分は、前記アクチュエータの頂面の上方に配置されていることを特徴とする請求項１に記載のライター。
【請求項１３】  前記ラッチ部材は、２つの端部を更に有することを特徴とする請求項１に記載のライター。
【請求項１４】  前記ラッチ部材は、前記アクチュエータとは別体であることを特徴とする請求項１に記載のライター。
【請求項１５】  前記点火機構は、圧電機構であることを特徴とする請求項１に記載のライター。
【請求項１６】  前記アクチュエータは後ろ側を更に有し、前記ラッチ部材は、前記アクチュエータの後ろ側に回動可能に結合されていることを特徴とする請求項１に記載のライター。
【請求項１７】  前記ラッチ部材は、単一の下向きに延びる本体部分だけを有することを特徴とする請求項１に記載のライター。
【請求項１８】  前記ライター本体は、後壁を更に有し、前記アクチュエータの移動を制限する前記ライター本体の部分は、前記ライター本体の後壁に隣接していることを特徴とする請求項１に記載のライター。
【請求項１９】  付勢要素を更に有し、使用者がラッチ部材を解放したときに、該付勢要素は、ラッチ部材を非作動位置に移動させることを特徴とする請求項１に記載のライター。
【請求項２０】  付勢要素を更に有し、使用意思を有する使用者がラッチ部材を解放したときに、該付勢要素は、ラッチ部材を非作動位置に移動させることを特徴とする請求項１に記載のライター。
【請求項２１】  前記ラッチ部材は、使用意思を有する使用者の指によって作動位置に保持されることを特徴とする請求項１に記載のライター。
【請求項２２】  前記点火機構は、作動軸線を有し、前記アクチュエータの移動は、この作動軸線に沿っていることを特徴とする請求項１に記載のライター。
【請求項２３】  前記ラッチ部材は、前記作動軸線と垂直な回動軸線を有することを特徴とする請求項２２に記載のライター。
【請求項２４】  使用意思のないユーザによる使用を阻止するライターであって、
燃料区画室を備えたライター本体と、
前記燃料区画室から燃料を供給する弁と、
前記ライター本体に対して動くことができるように取付けられていて、ラッチ部材を受け入れるようになった長手方向に延びる溝を備えた内壁を有するアクチュエータと、
作動軸線を備え、前記アクチュエータを前記作動軸線に沿う第１の位置から前記作動軸線に沿う作動位置に移動させると、それにより前記燃料の点火を行う点火機構と、
前記アクチュエータに回動自在に結合された前記ラッチ部材とを有し、該ラッチ部材が非作動位置にあるとき、前記ラッチ部材の一部は、前記ライター本体の一部と整列して、前記作動軸線に沿う前記アクチュエータの移動が制限され、前記ラッチ部材を作動位置に回動させると、前記ラッチ部材の前記一部は、前記ライター本体の前記一部と非整列状態になり、それにより前記アクチュエータを前記第１の位置から前記作動位置に移動させて前記点火機構を作動させ、前記燃料を点火できることを特徴とするライター。
【請求項２５】  前記アクチュエータは、頂面と、これから間隔をおいた底面と、これら表面相互間に延びる少なくとも１つの側壁とを有し、前記内壁は、該内壁から延びる少なくとも１つの張出し部を更に有し、前記張出し部は、第１のカム面を有していることを特徴とする請求項２４記載のライター。
【請求項２６】  前記ラッチ部材は、前記アクチュエータの前記上表面部分の上に位置する指作動部分と、該指作動部分から延びる本体部分とを更に有し、該本体部分は、これから延びる第１のピボット部材を有し、該第１のピボット部材は、前記アクチュエータの前記第１のカム面と回動自在に結合する第２のカム面を有していることを特徴とする請求項２５記載のライター。
【請求項２７】  前記アクチュエータの前記側壁は、前記溝内へ内方に延びる一対のアームを更に有し、各アームは、前記下面に設けられた切欠きを有していることを特徴とする請求項２５記載のライター。
【請求項２８】  前記第１のピボット部材は、円筒形であり、前記アクチュエータ内に取り付けられると、前記切欠き内に配置されることを特徴とする請求項２７記載のライター。
【請求項２９】  前記第１のピボット部材は、前記本体部分の前面から延び、前記ラッチ部材は、前記本体部分の後面から延びる第２のピボット部材を更に有し、前記第２のピボット部材は、前記アクチュエータの前記側壁と協働する後側カム面を有していることを特徴とする請求項２６記載のライター。
【請求項３０】  前記内壁は、該内壁から延びる２つの互いに間隔をおいた張出し部を更に有し、前記アクチュエータの後側の側壁は、前記溝内へ延びる２つの互いに間隔をおいた突起を有し、各突起は、平らな底面を有していることを特徴とする請求項２９記載のライター。
【請求項３１】  下石第２のピボット部材は、前記本体部分に沿って長手方向にテーパした中央の弧状後側カム面を有し、前記第２のピボット部材は、２つの互いに間隔をおいた平らなプラットホームを更に有していて、前記ラッチ部材を前記溝内へ取り付けると、前記平らなプラットホームは前記平らな底面と整列するようになっていることを特徴とする請求項３０記載のライター。
【請求項３２】  ラッチ部材と前記アクチュエータとの間に設けられていて、前記ラッチ部材を前記非作動位置に付勢するバネ付勢要素を更に有していることを特徴とする請求項２４記載のライター。
【請求項３３】  前記付勢要素は、前記ラッチ部材と一体形成されたバネであることを特徴とする請求項３２記載のライター。
【請求項３４】  前記付勢要素は、前記ラッチ部材から間隔をおいて位置したコイルバネであることを特徴とする請求項３２記載のライター。
【請求項３５】  前記付勢要素は、前記ラッチ部材に結合された金属製板バネであることを特徴とする請求項３２記載のライター。
【請求項３６】  使用意思のないユーザによる使用を阻止するライターであって、
燃料区画室を備えたライター本体と、
前記燃料区画室から燃料を供給する弁と、
前記ライター本体に対して動くことができるように取り付けられ、溝を構成しているアクチュエータと、
作動軸線を有する点火機構と、を有し、前記アクチュエータが第１の位置から前記作動軸線に沿って該作動軸線に沿った作動位置に移動することにより、前記点火機構が前記燃料の点火を行い、
前記アクチュエータに対して回動可能に取り付けられたラッチ部材を更に有し、該ラッチ部材は、外側の指作動部分と、該指作動部分から垂下した本体部分とを更に含み、前記本体部分は、前記アクチュエータのチャンネル内に受け入れ可能なブロック部分を含み、前記ラッチ部材が非作動位置にあるときには、前記本体部分のブロック部分は、前記作動軸線に沿った前記アクチュエータの移動を阻止し、前記ラッチ部材を作動位置に回動させたときには、前記本体部分のブロック部分は、前記アクチュエータが前記第１の位置から前記作動位置に移動して前記点火機構を作動させ、前記燃料に点火することを可能にすることを特徴とするライター。
【請求項３７】  前記ラッチ部材に接触していて前記ラッチ部材を前記非作動位置に付勢する付勢要素を更に含むことを特徴とする請求項３６に記載のライター。
【請求項３８】  前記付勢要素は、前記ラッチ部材とは別体のコイルバネであることを特徴とする請求項３６に記載のライター。
【請求項３９】  前記本体部分は、前記作動軸線と垂直に該本体部分から延びる円筒状ピボット部材を更に含むことを特徴とする請求項３６に記載のライター。
【請求項４０】  使用意思のないユーザによる使用を阻止するライターであって、
燃料供給源およびブロック面を備えたハウジングと、
前記燃料区画室から燃料を供給する弁と、
前記燃料の点火を行う点火機構と、
前記ハウジングに対して移動可能に取り付けられたアクチュエータと、
前記燃料の点火を行う点火機構と、を有し、該点火機構は、前記アクチュエータの動きにより、点火機構が前記燃料の点火を行うように前記アクチュエータに取り付けられており、
前記アクチュエータに回動自在に結合されたラッチ部材を更に有し、前記ラッチ部材は、前記アクチュエータの上方に配置された指作動部分を含み、前記アクチュエータは、前記ハウジングと、前記指作動部分との間に配置されており、
前記ラッチ部材は、該ラッチ部材が前記ブロック面と整列している非作動位置から該ラッチ部材が前記ブロック面と非整列状態になる作動位置に回動され、前記アクチュエータが前記作動位置に移動できるように構成されていることを特徴とするライター。
【請求項４１】  前記点火機構は、前記アクチュエータに結合されており、前記アクチュエータの移動により、前記点火機構は燃料の点火を行うことを特徴とする請求項４０に記載のライター。
【請求項４２】  前記ラッチ部材と作動的に関連した付勢要素を更に含み、該付勢要素は、前記ラッチ部材がユーザによって解放されるときにはいつでも前記ラッチ部材を付勢して非作動位置に移動させることを特徴とする請求項４０に記載のライター。
【請求項４３】  前記点火機構は、長手方向軸線を更に含み、前記アクチュエータの移動は、該点火機構の長手方向軸線に沿っていることを特徴とする請求項４２に記載のライター。
【請求項４４】  前記ラッチ部材は、前記アクチュエータとは別体であることを特徴とする請求項４０に記載のライター。
【請求項４５】  使用意思のないユーザによる使用を阻止するライターであって、
燃料供給源およびブロック面を備えたハウジングと、
前記燃料区画室から燃料を供給する弁と、
前記ハウジングに対して移動可能に取り付けられたアクチュエータと、
前記燃料の点火を行う点火機構と、
回動連結によってのみアクチュエータに連結され、該アクチュエータに取り付けられていない２つの自由端部を有するラッチ部材と、
前記ラッチ部材と作動的に関連した付勢要素と、を有し、
前記ラッチ部材は、該ラッチ部材が前記ブロック面と整合している非作動位置から該ラッチ部材が前記ブロック面と整合しなくなる作動位置に回動され、前記アクチュエータが前記作動位置に移動できるように構成されており、該付勢要素は、前記ラッチ部材がユーザによって解放されるときにはいつでも前記ラッチ部材を付勢して非作動位置に移動させることを特徴とするライター。
【請求項４６】  前記ラッチ部材は、前記アクチュエータとは別体であることを特徴とする請求項４５に記載のライター。
【請求項４７】  使用意思のないユーザによる使用を阻止するライターであって、
燃料区画室を備えたライター本体と、
前記燃料区画室から燃料を供給する弁と、
前記ライター本体に対して移動可能に取り付けられたアクチュエータと、
前記燃料の点火を行う点火機構と、を有し、該点火機構は、前記アクチュエータの移動により、点火機構が前記燃料の点火を行うように前記アクチュエータに取り付けられており、
前記アクチュエータに回動自在にかつ曲がらないように結合されたラッチ部材を更に有し、該ラッチ部材が非作動位置にあるとき、前記ラッチ部材の一部が、前記ライター本体の一部と整列して前記作動軸線に沿う前記アクチュエータの移動が制限され、前記ラッチ部材を作動位置に回動させると、前記ラッチ部材の前記一部が前記ライター本体の前記一部と非整列状態になり、それにより前記アクチュエータを前記作動位置に移動させて前記点火機構を作動させ、前記燃料を点火でき、前記ラッチ部材は、常に非作動位置と作動位置との間で自由に移動可能であることを特徴とするライター。
【請求項４８】  使用意思のないユーザによる使用を阻止するライターであって、
燃料区画室を備えたライター本体と、
前記燃料区画室から燃料を供給する弁と、
前記ライター本体に対して移動可能に取り付けられたアクチュエータと、
前記燃料の点火を行う点火機構と、を有し、該点火機構は、前記アクチュエータの移動により、点火機構が前記燃料の点火を行うように前記アクチュエータと作動的に関連しており、
前記アクチュエータに回動自在に結合され、指作動部分を含むラッチ部材を更に有し、
該ラッチ部材が非作動位置にあるとき、前記ラッチ部材の一部が、前記ライター本体の一部と整列して前記作動軸線に沿う前記アクチュエータの移動が制限され、前記ラッチ部材を作動位置に回動させると、前記ラッチ部材の前記一部が前記ライター本体の前記一部と非整列状態になり、それにより前記アクチュエータを前記作動位置に移動させて前記点火機構を作動させ、前記燃料を点火でき、前記弁から遠くへ指作動部材を移動させることにより、前記ラッチ部材は、非作動位置と作動位置との間で移動することを特徴とするライター。